(57)【特許請求の範囲】
【請求項１】
携帯通信端末であって、
外部から映像音声信号の入力を受けるための映像音声信号入力手段と、
予約情報の入力を受け付ける入力手段と、
前記予約情報と前記映像音声信号とを記録するための記録手段と、
前記携帯通信端末の作動状態を検出するための検出手段と、
時刻を計測するための計時手段と、
予め定められた時刻になると、前記作動状態に基づいて、前記記録手段を用いて前記予約情報に基づく映像音声信号の記録を開始した場合に完了することができるか否かを判断するための判断手段と、
前記映像音声信号の記録を開始することはできるが完了することができないと判断されると、前記携帯通信端末は前記記録を開始することはできるが完了することができない状態であることを報知するための報知データを生成する生成手段と、
前記報知データに基づいて、前記状態を報知するための報知手段とを含む、携帯通信端末。
【請求項２】
前記入力手段は、前記映像音声信号の記録の開始時刻および終了時刻を特定するための情報を受信するための受信手段を含む、請求項１に記載の携帯通信端末。
【請求項３】
前記予約情報は、前記映像音声信号の記録を開始する開始時刻と、前記記録の終了時刻を特定するための情報とを含み、
前記判断手段は、前記開始時刻から前記終了時刻まで、前記記録手段を用いて前記映像音声信号の記録を完了することができるか否かを判断する、請求項１に記載の携帯通信端末。
【請求項４】
前記検出手段は、前記予め定められた時刻に、前記記録手段における空き領域の容量を算出し、
前記判断手段は、前記予約情報に基づいて、前記映像音声信号の記録に必要な記録容量を算出し、前記記録容量と前記空き容量とを比較し、そして、前記記録容量が前記空き容量を上回る場合に前記予約情報に基づく映像音声信号の記録を完了することができないと判断する、請求項１または２に記載の携帯通信端末。
【請求項５】
前記携帯通信端末は、電池をさらに含み、
前記検出手段は、前記予め定められた時刻に、前記電池の電圧値を検出し、
前記判断手段は、前記電圧値が予め定められた値を下回っている場合には、前記予約情報に基づく映像音声信号の記録を完了することができないと判断する、請求項１または２に記載の携帯通信端末。
【請求項６】
前記映像音声信号入力手段は、前記映像音声信号の出力装置に接続されるケーブルを介して、前記映像音声信号の入力を受け、
前記検出手段は、前記予め定められた時刻に、前記ケーブルと前記携帯通信端末との接続状態を検出し、
前記判断手段は、前記ケーブルが前記携帯通信端末に接続されていないことが検出されると、前記予約情報に基づく映像音声信号の記録を完了することができないと判断する、請求項１または２に記載の携帯通信端末。
【請求項７】
前記携帯通信端末は、前記携帯通信端末の位置情報を受信するための位置情報受信手段をさらに含み、
前記映像音声信号入力手段は、
放送信号を受信するための受信手段と、
前記放送信号から、前記映像音声信号を取得するためのチューナとを含み、
前記記録手段は、前記放送信号を受信することができる範囲を表わす範囲情報をさらに記憶し、
前記判断手段は、前記予め定められた時刻になると、前記位置情報と前記範囲情報とに基づいて、前記携帯通信端末が前記放送信号を受信できる位置に存在するか否かを判断し、前記放送信号を受信できない位置に存在していると判断すると、前記予約情報に基づく映像音声信号を記録することができないと判断する、請求項１または２に記載の携帯通信端末。
【請求項８】
前記記録手段は、前記予約情報に基づく映像音声信号の記録完了見込み情報を通知するメッセージを、前記作動状態に対応付けて記憶し、
前記生成手段は、前記メッセージを表示させるための表示データを生成し、
前記報知手段は、前記表示データに基づいて、前記メッセージを表示するための表示手段を含む、請求項１または２に記載の携帯通信端末。
【請求項９】
前記報知手段は、指示信号に基づいて音声を出力するための音声出力手段を含み、
前記記録手段は、前記音声出力手段を作動させるための制御データを、前記携帯通信端末の作動状態の識別データに対応付けて記憶し、
前記生成手段は、前記制御データに基づいて前記指示信号を生成する、請求項１または２に記載の携帯通信端末。
【請求項１０】
前記携帯通信端末は、
前記判断手段が前記予約情報に基づく映像音声信号の記録を完了することができないと判断した場合に、前記映像音声信号の記録が可能な記録装置に、前記予約情報に基づいて映像音声信号を記録させるための制御情報を生成するための生成手段と、
前記記録装置に前記制御情報を送信するための送信手段とをさらに含む、請求項１または２に記載の携帯通信端末。
【請求項１１】
前記携帯通信端末は、
前記予約情報に基づく映像音声信号の記録中に、前記作動状態に基づいて、前記映像信号の記録を完了することができるか否かを判断するための記録時判断手段と、
前記記録を完了することができないと判断されると、前記映像音声信号の記録が可能な記録装置に、前記予約情報に基づいて映像音声信号を記録させるための制御情報を生成するための制御情報生成手段と、
前記記録装置に、前記制御情報を送信するための送信手段とをさらに含む、請求項１または２に記載の携帯通信端末。
【請求項１２】
前記制御情報生成手段は、前記記録時判断手段による判断処理が実行された判断時刻を検出し、前記判断時刻から予め定められた時間の後の時刻を映像音声信号の記録を開始する記録開始時刻に設定し、前記開始時刻を前記記録開始時刻に変更して前記予約情報を更新して前記制御情報を生成する、請求項１１に記載の携帯通信端末。
【請求項１３】
前記送信手段は、前記記録装置に、前記制御情報に基づいて前記映像音声信号を記録させるための赤外線信号を送信する発信手段を含む、請求項１１に記載の携帯通信端末。
【請求項１４】
前記記録手段は、予め定められた、前記映像音声信号の記録が可能な記録装置のアドレス情報をさらに記憶し、
前記送信手段は、通信回線を介して、前記アドレス情報に基づいて、前記記録装置に前記制御情報を送信する、請求項１０〜１３のいずれかに記載の携帯通信端末。
【請求項１５】
携帯通信端末の状態を報知する方法であって、
外部から映像音声信号の入力を受けるステップと、
予約情報の入力を受け付けるステップと、
前記予約情報と前記映像音声信号とを記録するステップと、
前記携帯通信端末の作動状態を検出するステップと、
時刻を計測するステップと、
予め定められた時刻になると、前記作動状態に基づいて、前記予約情報に基づく映像音声信号の記録を開始した場合に完了することができるか否かを判断するステップと、
前記映像音声信号の記録を開始することはできるが完了することができないと判断されると、前記携帯通信端末は前記記録を開始することはできるが完了することができない状態であることを報知するための報知データを生成するステップと、
前記報知データに基づいて、前記状態を報知するステップとを含む、携帯通信端末の状態の報知方法。
【請求項１６】
携帯通信端末の状態を報知する方法を実現するためのプログラムであって、前記プログラムは前記携帯通信端末に、
外部から映像音声信号の入力を受けるステップと、
予約情報の入力を受け付けるステップと、
前記予約情報と前記映像音声信号とを記録するステップと、
前記携帯通信端末の作動状態を検出するステップと、
時刻を計測するステップと、
予め定められた時刻になると、前記作動状態に基づいて、前記予約情報に基づく映像音声信号の記録を開始した場合に完了することができるか否かを判断するステップと、
前記映像音声信号の記録を開始することはできるが完了することができないと判断されると、前記携帯通信端末は前記記録を開始することはできるが完了することができない状態であることを報知するための報知データを生成するステップと、
前記報知データに基づいて、前記状態を報知するステップとを実行させる、プログラム。
【発明の詳細な説明】
【技術分野】
【０００１】
本発明は、携帯通信端末の状態を報知する処理に関し、特に信号の記録の指示が予め入力された場合における報知機能を有する携帯通信端末、その状態の報知方法、およびその方法を携帯通信端末に実現させるためのプログラムに関する。
【背景技術】
【０００２】
データ記録媒体（たとえば、ビデオテープ、磁気ディスク等）が装着可能な情報記録機器は、予約機能を有する場合には、予め入力された予約情報に基づいて、指定された信号入力源からの映像音声信号を記録することができる。この場合、データ記録媒体の記録領域が一杯になると、記録の終了時刻前であっても、必然的に記録が中止される。このような中止を防止するために、たとえばＶＴＲ（Video Tape Recorder）に映像音声信号を記録する場合、ユーザは、無端のテープ（いわゆるエンドレステープ）を使用して、少なくとも指定された終了時刻から所定時間前の映像音声信号を記録することができる。このとき、エンドレステープの記録可能時間に対して指定された記録時間が長い場合には、エンドレステープがＶＴＲの記録ヘッドに接触する時間も長くなるため、エンドレステープの寿命が短くなるという問題があった。
【０００３】
そこで、たとえば特開平２−２２６５３９号公報（特許文献１）は、エンドレステープの磨耗を抑制することができるＶＴＲ装置を開示する。この装置は、ＶＴＲ装置のモードがエンドレスビデオ側に設定されている場合に、１０分間の記録動作の後、記録を停止させるタイマー手段と、停止１分前にランプを点灯させて１分後に点灯を停止させる手段とを含む。
【０００４】
特許文献１に開示されたＶＴＲ装置によると、エンドレステープに映像音声信号を記録するとき、ユーザの指示がない場合には、１０分間だけ作動する。したがって、ヘッドとテープとの接触状態が長時間継続することが防止されるため、エンドレステープは磨耗しにくくなる。これにより、エンドレステープの寿命の低下が抑制される。
【０００５】
一方で、ユーザの行動範囲の広がりに伴い、情報記録機器を遠隔操作する要望が強まっている。
【０００６】
そこで、たとえば特開昭６４−４１５５９号公報（特許文献２）は、テープの残量時間をＶＴＲ装置から離れているユーザに通知することができる遠隔制御装置を開示する。この遠隔制御装置は、テープの録画可能時間を算出する手段と、電話回線を介して送信されたユーザによるタイマ録画指令信号を検知する手段と、検知結果に応じて電話回線を介してテープの残量時間をユーザに通報する手段とを含む。
【０００７】
特許文献２に開示された遠隔制御装置によると、ユーザが電話回線を介して遠隔制御指令を実行した場合に、テープの残量が計算される。そのデータは、合成音声その他の態様によって、ユーザに通報される。このようにすると、ユーザはＶＴＲ装置のそばに待機していない場合であっても、ＶＴＲ装置のテープの巻き戻しその他の必要な処理を遠隔制御することができる。
【特許文献１】特開平２−２２６５３９号公報
【特許文献２】特開昭６４−４１５５９号公報
【発明の開示】
【発明が解決しようとする課題】
【０００８】
しかしながら、特許文献１に開示されたＶＴＲ装置によると、エンドレステープの録画可能時間には限界があるため、映像音声信号を長時間にわたって記録することができない。
【０００９】
また、特許文献２に開示された遠隔制御装置によると、電話回線が使用できない場合には、ユーザは、遠隔制御を実行することができないため、たとえば予約録画の開始時刻までに希望する指示を送信することができないという問題があった。
【００１０】
このような問題は、磁気ディスクその他の記録媒体を装着可能な携帯電話その他の携帯通信端末においても、同様に当てはまる。たとえば、携帯通信端末が映像音声信号の記録装置として使用される場合、携帯通信端末は、その媒体の記憶容量以上に信号を記録することができない。さらに、上記の問題に加えて、ユーザが予約情報の入力後に携帯通信端末を使用して画像データその他のデータを取り込んだ場合には、その端末の記憶容量は、その分だけ減少する。その結果、予約時に十分であった記憶容量が、記録の開始時には、不足しているという場合も生じ得る。また、携帯通信端末のバッテリが消費され、映像音声信号の記録に必要な電圧が残っていない場合も生じ得る。
【００１１】
本発明は、上述の問題点を解決するためになされたものであって、その目的は、映像音声信号の記録機能を有する携帯通信端末において、予約情報に基づく映像音声信号の記録を実行する前に、端末自身の状態を報知することができる携帯通信端末を提供することである。
【００１２】
本発明の他の目的は、予約情報に基づく映像音声信号を記録する前に、携帯通信端末がその記録を完了することができない状態である場合に、他の記録装置にその予約情報に基づいて映像音声信号を記録させることができる携帯通信端末を提供することである。
【００１３】
本発明の他の目的は、予約情報に基づく映像音声信号の記録中に、携帯通信端末がその記録を完了することができない状態になった場合に、他の記録装置にその予約情報に基づく記録を継続させることができる携帯通信端末を提供することである。
【００１４】
本発明の他の目的は、映像音声信号の記録機能を有する携帯通信端末において、予約情報に基づく映像音声信号の記録を実行する前に、端末自身の状態を報知する方法を提供することである。
【００１５】
本発明のさらに他の目的は、映像音声信号の記録機能を有する携帯通信端末に、予約情報に基づく映像音声信号の記録を実行する前に、端末自身の状態を報知する方法を実現させるためのプログラムを提供することである。
【課題を解決するための手段】
【００１６】
上記の課題を解決するために、この発明のある局面に従うと、携帯通信端末は、外部から映像音声信号の入力を受けるための映像音声信号入力手段と、予約情報の入力を受け付ける入力手段と、予約情報と映像音声信号とを記録するための記録手段と、携帯通信端末の作動状態を検出するための検出手段と、時刻を計測するための計時手段と、予め定められた時刻になると、作動状態に基づいて、記録手段を用いて予約情報に基づく映像音声信号の記録を完了することができるか否かを判断するための判断手段と、映像音声信号の記録を完了することができないと判断されると、携帯通信端末は記録を完了することができない状態であることを報知するための報知データを生成する生成手段と、報知データに基づいて、状態を報知するための報知手段とを含む。
【００１７】
上記の携帯通信端末によると、予約情報が入力された後に、その情報に基づく映像音声信号の記録を完了することができない場合には、その旨が報知される。したがって、携帯通信端末の利用者は、たとえば不要なデータの削除あるいは充電その他の処置を記録の開始時刻までにとることができる。これにより、携帯通信端末は、入力された情報に基づいて、映像音声信号を確実に記録することができる。
【００１８】
好ましくは、入力手段は、映像音声信号の記録の開始時刻および終了時刻を特定するための情報を受信するための受信手段を含む。
【００１９】
上記の携帯通信端末によると、ユーザによる入力操作をすることなく予約情報が入力された場合であっても、映像音声信号の記録前に携帯通信端末の状態に基づいて記録が確実に実行できるか否かが報知される。
【００２０】
好ましくは、予約情報は、映像音声信号の記録を開始する開始時刻と、記録の終了時刻を特定するための情報とを含む。判断手段は、開始時刻から終了時刻まで、記録手段を用いて映像音声信号の記録を完了することができるか否かを判断する。
【００２１】
上記の携帯通信端末によると、開始時刻から終了時刻までの映像音声信号の記録が完了されない場合には、そのことが報知されるため、ユーザは、事前に必要な処置をとることができる。
【００２２】
好ましくは、検出手段は、予め定められた時刻に、記録手段における空き領域の容量を算出する。判断手段は、予約情報に基づいて、映像音声信号の記録に必要な記録容量を算出し、記録容量と空き容量とを比較し、そして、記録容量が空き容量を上回る場合に予約情報に基づく映像音声信号の記録を完了することができないと判断する。
【００２３】
上記の携帯通信端末によると、記録手段の容量が不足している場合には、その旨が報知されるため、ユーザは、データの削除あるいは大容量の記録手段（たとえば着脱可能なデータ記録媒体）に変更することにより、必要な記憶容量を予め確保することができる。
【００２４】
好ましくは、携帯通信端末は、電池をさらに含む。検出手段は、予め定められた時刻に、電池の電圧値を検出する。判断手段は、電圧値が予め定められた値を下回っている場合には、予約情報に基づく映像音声信号の記録を完了することができないと判断する。
【００２５】
上記の携帯通信端末によると、映像音声信号の記録のために必要な電圧がない場合には、ユーザは、事前に充電したりあるいは外部電源に携帯通信端末を接続することにより、必要な電圧を確保することができる。したがって、携帯通信端末は、途中で停止することなく、映像音声信号を記録することができる。
【００２６】
好ましくは、映像音声信号入力手段は、映像音声信号の出力装置に接続されるケーブルを介して、映像音声信号の入力を受ける。検出手段は、予め定められた時刻に、ケーブルと携帯通信端末との接続状態を検出する。判断手段は、ケーブルが携帯通信端末に接続されていないことが検出されると、予約情報に基づく映像音声信号の記録を完了することができないと判断する。
【００２７】
上記の携帯通信端末によると、ユーザはケーブルを事前に接続する処置をとることができるため、確実に映像音声信号を記録することができる。
【００２８】
好ましくは、携帯通信端末は、携帯通信端末の位置情報を受信するための位置情報受信手段をさらに含む。映像音声信号入力手段は、放送信号を受信するための受信手段と、放送信号から、映像音声信号を取得するためのチューナとを含む。記録手段は、放送信号を受信することができる範囲を表わす範囲情報をさらに記憶する。判断手段は、予め定められた時刻になると、位置情報と範囲情報とに基づいて、携帯通信端末が放送信号を受信できる位置に存在するか否かを判断し、放送信号を受信できない位置に存在していると判断すると、予約情報に基づく映像音声信号を記録することができないと判断する。
【００２９】
上記の携帯通信端末によると、携帯通信端末が放送信号の受信可能なエリア外にある場合には、その旨が報知されるため、ユーザは、そのエリア内に移動することにより、映像音声信号を確実に記録することができる。
【００３０】
好ましくは、記録手段は、予約情報に基づく映像音声信号の記録完了見込み情報を通知するメッセージを、作動状態に対応付けて記憶する。生成手段は、メッセージを表示させるための表示データを生成する。報知手段は、表示データに基づいて、メッセージを表示するための表示手段を含む。
【００３１】
上記の通信携帯端末によると、映像音声信号の記録に関する報知は、表示手段における記録完了見込み情報の表示により行なわれるため、ユーザは映像音声信号の記録が完了するか否かを確実に認識することができる。なお、ここで記録完了見込み情報とは、たとえば携帯通信端末が終了時刻まで記録を完了することができることを表わす情報、あるいは信号記録領域の不足により記録を完了することができないことを表わす情報等を含む。
【００３２】
好ましくは、報知手段は、指示信号に基づいて音声を出力するための音声出力手段を含む。記録手段は、音声出力手段を作動させるための制御データを、携帯通信端末の作動状態の識別データに対応付けて記憶する。生成手段は、制御データに基づいて指示信号を生成する。
【００３３】
上記の携帯通信端末によると、映像音声信号の記録に関する報知は、音声により行なわれるため、ユーザは携帯通信端末を手元に有していない場合でも、その報知を認識することができる。
【００３４】
好ましくは、携帯通信端末は、判断手段が予約情報に基づく映像音声信号の記録を完了することができないと判断した場合に、映像音声信号の記録が可能な記録装置に、予約情報に基づいて映像音声信号を記録させるための制御情報を生成するための生成手段と、記録装置に制御情報を送信するための送信手段とをさらに含む。
【００３５】
上記の携帯通信端末によると、他の記録装置に映像音声信号を記録させることができるため、携帯通信端末自身が映像音声信号を記録することができない場合であっても、ユーザは、その記録装置により映像音声信号に基づく映像あるいは音声を視聴することができる。
【００３６】
好ましくは、携帯通信端末は、予約情報に基づく映像音声信号の記録中に、作動状態に基づいて、映像信号の記録を完了することができるか否かを判断するための記録時判断手段と、記録を完了することができないと判断されると、映像音声信号の記録が可能な記録装置に、予約情報に基づいて映像音声信号を記録させるための制御情報を生成するための制御情報生成手段と、記録装置に、制御情報を送信するための送信手段とをさらに含む。
【００３７】
上記の携帯通信端末によると、映像音声信号の記録中に、その記録を最後まで実行できない状態になった場合であっても、他の記録装置に継続して映像音声信号を記録させることができる。
【００３８】
好ましくは、制御情報生成手段は、記録時判断手段による判断処理が実行された判断時刻を検出し、判断時刻から予め定められた時間の後の時刻を映像音声信号の記録を開始する記録開始時刻に設定し、開始時刻を記録開始時刻に変更して予約情報を更新して制御情報を生成する。
【００３９】
上記の携帯通信端末によると、その記録を最後まで実行できない状態になった場合であっても、判断時刻に基づいて算出された記録開始時刻から、その記録装置に映像音声信号を記録させることができる。
【００４０】
好ましくは、送信手段は、記録装置に、制御情報に基づいて映像音声信号を記録させるための赤外線信号を送信する発信手段を含む。
【００４１】
上記の携帯通信端末によると、予約情報が赤外線信号により送信されるため、ユーザは、予約情報を再度入力することなく、記録装置に映像音声信号を記録させることができる。
【００４２】
好ましくは、記録手段は、予め定められた、映像音声信号の記録が可能な記録装置のアドレス情報をさらに記憶する。送信手段は、通信回線を介して、アドレス情報に基づいて、記録装置に制御情報を送信する。
【００４３】
上記の携帯通信端末によると、予約情報は、通信回線を介して記録装置に送信されるため、携帯通信端末と記録装置とが離れていても、映像音声信号の記録指示を記録装置に送信することができる。
【００４４】
この発明の他の局面に従うと、携帯通信端末の状態を報知する報知方法は、外部から映像音声信号の入力を受けるステップと、予約情報の入力を受け付けるステップと、予約情報と映像音声信号とを記録するステップと、携帯通信端末の作動状態を検出するステップと、時刻を計測するステップと、予め定められた時刻になると、作動状態に基づいて、予約情報に基づく映像音声信号の記録を完了することができるか否かを判断するステップと、映像音声信号の記録を完了することができないと判断されると、携帯通信端末は記録を完了することができない状態であることを報知するための報知データを生成するステップと、報知データに基づいて、状態を報知するステップとを含む。
【００４５】
上記の報知方法によると、予約情報が入力された後に、その情報に基づく映像音声信号の記録を完了することができない場合には、その旨が報知される。したがって、携帯通信端末の利用者は、たとえば不要なデータの削除あるいは充電その他の処置を記録の開始時刻までにとることができる。これにより、携帯通信端末は、入力された情報に基づいて、映像音声信号を確実に記録することができる。
【００４６】
この発明のさらに他の局面に従うと、プログラムは、携帯通信端末の状態を報知する方法を実現する。このプログラムは、携帯通信端末に、外部から映像音声信号の入力を受けるステップと、予約情報の入力を受け付けるステップと、予約情報と映像音声信号とを記録するステップと、携帯通信端末の作動状態を検出するステップと、時刻を計測するステップと、予め定められた時刻になると、作動状態に基づいて、予約情報に基づく映像音声信号の記録を完了することができるか否かを判断するステップと、映像音声信号の記録を完了することができないと判断されると、携帯通信端末は記録を完了することができない状態であることを報知するための報知データを生成するステップと、報知データに基づいて、状態を報知するステップとを実行させる。
【００４７】
上記のプログラムが実行されると、携帯通信端末は、予約情報が入力された後に、その情報に基づく映像音声信号の記録を完了することができない場合には、その旨が報知される。したがって、携帯通信端末の利用者は、たとえば不要なデータの削除あるいは充電その他の処置を記録の開始時刻までにとることができる。これにより、携帯通信端末は、入力された情報に基づいて、映像音声信号を確実に記録することができる。
【発明の効果】
【００４８】
本発明に係る携帯通信端末によると、予約情報に基づく映像音声信号の記録を実行する前に、端末自身の状態を報知することができる。
【００４９】
本発明に係る携帯通信端末によると、予約情報に基づく映像音声信号を記録する前に、携帯通信端末がその記録を完了することができない状態である場合であっても、他の記録装置にその予約情報に基づいて映像音声信号を記録させることができる。
【００５０】
本発明に係る携帯通信端末によると、予約情報に基づく映像音声信号の記録中に、携帯通信端末がその記録を完了することができない状態になった場合に、他の記録装置にその予約情報に基づく記録を継続させることができる。
【００５１】
本発明に係る携帯通信端末における報知方法によると、予約情報に基づく映像音声信号の記録を実行する前に、端末自身の状態を報知することができるため、ユーザはその記録を確実にするために必要な処置を速やかにとることができる。
【００５２】
本発明に係るプログラムによると、携帯通信端末は、予約情報に基づく映像音声信号の記録を実行する前に、端末自身の状態を報知する。ユーザは、事前にデータの削除その他の記憶容量の確保等の措置をとることができる。これにより、予約情報に基づく映像音声信号を確実に記録することができる。
【発明を実施するための最良の形態】
【００５３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００５４】
＜第１の実施の形態＞
図１を参照して、本発明に係る携帯通信端末の一態様である携帯電話１００について説明する。図１は、ケーブル１９２を介してテレビ１９０に接続された携帯電話１００の外観を表わす図である。携帯電話１００は、筐体１２０と、筐体１２０に配置されたディスプレイ１５０と、操作部１３０とを含む。操作部１３０は、ディスプレイ１５０に表示されるカーソルを移動させるための移動キーと１２キーとを含む。
【００５５】
図２を参照して、携帯電話１００の構成について説明する。図２は、携帯電話１００の機能ブロック図である。携帯電話１００は、図１に示した構成に加えて、信号を受信するためのアンテナ２００と、時刻を計測するための計時部１３２と、電源を各部に供給するためのバッテリ１３４と、外部から映像音声信号の入力を受けるための映像音声信号取得部１４０と、携帯電話１００が実行する動作を制御するための制御部２３０と、データを一時的に記憶するためのＲＡＭ２５２およびＶＲＡＭ２５４と、報知データを記憶するための報知情報記憶部２５６と、映像音声信号を記録するための開始時刻と、その記録の終了時刻とを特定するための予約情報を記録するための予約情報記録部２５８と、携帯電話１００の動作を実行させるためのプログラムを記憶するためのプログラム記憶部２６０と、映像音声信号を記録するための映像記録部２７０と、スピーカ１５２と、振動を発生するためのバイブレータ１５４と、ＬＥＤ（Light Emitting Diode）１５６と、記録媒体へのデータの書き込みと記録媒体からのデータの読み出しとを実行するための駆動部２４６とを含む。
【００５６】
制御部２３０は、携帯電話１００と外部との通信を制御するための通信制御部２３２と、上記予約情報を取得するための予約情報取得部２３４と、データ記録媒体の記憶容量を算出するための録画容量算出部２３６と、データ記録媒体に対する映像音声信号の記録が可能であるか否かを判断するための録画可否判断部２３８と、映像音声信号の記録の開始時刻から予め定められた時間の前（たとえば１０分前）であることを検知するための所定時間前検知部２４０と、ディスプレイ１５０、スピーカ１５２、バイブレータ１５４およびＬＥＤ１５６その他の出力手段に、携帯電話１００の状態を報知させるための報知制御部２４２と、バッテリ１３４の電圧を算出するための残存容量算出部２４４とを含む。
【００５７】
制御部２３０は、後述するように、報知情報記憶部２５６と予約情報記録部２５８とプログラム記憶部２６０とに予め格納されているデータに基づいて所定の処理を実行する。すなわち、制御部２３０はコンピュータにおけるＣＰＵ（Central Processing Unit）に相当する演算機能を実現する。
【００５８】
上記の構成を有する携帯電話１００において、アンテナ２００を介して受信された信号は、通信制御部２３２に入力される。この信号は、さらに予約情報取得部２３４に入力される。この信号は、携帯電話１００のアドレスに送信されたメール、電話の着信を含む。
【００５９】
同様に操作部１３０を介して入力された指示は、所定の信号に変換され、予約情報取得部２３４に入力される。予約情報取得部２３４から出力される信号は、録画容量算出部２３６に入力される。録画容量算出部２３６から出力される信号は、録画可否判断部２３８に入力される。
【００６０】
計時部１３２は、携帯電話１００における処理の実行時間を計測する。計測された時間は、所定時間前検知部２４０に入力される。所定時間前検知部２４０から出力される信号は、録画可否判断部２３８に入力される。録画可否判断部２３８は、入力信号に基づいて携帯電話１００において映像音声信号の記録が可能であるか否かを判断する。その判断結果は、報知制御部２４２に出力される。
【００６１】
報知制御部２４２は、報知情報記憶部２５６に格納されているデータを読み出し、入力される信号に基づいて予め定められた報知動作を実行するための制御信号を生成する。この信号は、報知の態様に応じてＶＲＡＭ２５４に出力されたり、スピーカ１５２、バイブレータ１５４およびＬＥＤ１５６のいずれかに出力されたりする。
【００６２】
残存容量算出部２４４は、バッテリ１３４の残存容量を算出し、算出結果を録画可否判断部２３８に出力する。したがって、録画可否判断部２３８は、録画容量と所定の時間情報とに加えてバッテリ１３４における残存容量に基づいて携帯電話１００における映像音声信号の記録が可能であるか否かを判断することができる。
【００６３】
映像音声信号取得部１４０は、外部から映像音声信号の入力を受け駆動部２４６に出力する。駆動部２４６は、入力される映像音声信号を映像記録部２７０の所定のデータ領域に書き込む。
【００６４】
ＲＡＭ２５２には、上記した各処理を実行する処理部において生成されるデータが一時的に格納される。ＶＲＡＭ２５４には、ディスプレイ１５０に表示させるためのデータが書込まれる。このデータには、報知制御部２４２の制御に基づいて予め記憶されたメッセージを表示させるためのデータが含まれる。
【００６５】
報知情報記憶部２５６と予約情報記録部２５８とプログラム記憶部２６０とは、たとえばフラッシュメモリである。これらの記憶部は、別々のメモリであってもよいし、１つのフラッシュメモリにおいて所定の領域ごとに区分されていてもよい。各記憶部におけるデータ構造については後述する。
【００６６】
映像記録部２７０は、たとえばメモリカードその他の着脱可能なデータ記録媒体である。あるいはＨＤＤ（Hard Disk Drive）その他の磁気ディスクであってもよい。
【００６７】
また、制御部２３０は、携帯電話１００のケーブル接続部（図示しない）においてケーブルが接続されているか否かを検出することができる。ケーブル接続部は、たとえば映像信号取得部１４０に相当する。ケーブルの接続状態の検出は、たとえばケーブル接続部における電流値を計測して行なわれる。
【００６８】
図３を参照して、携帯電話１００におけるデータ構造について説明する。図３は、携帯電話１００の報知情報記憶部２５６におけるメッセージデータの格納の一態様を表わす図である。このメッセージデータは、携帯電話１００の作動状態に応じて読み出される。このデータは、予め作成されていても良いし、ユーザが任意に作成してもよい。
【００６９】
図３に示すように、メッセージ番号は、データ領域Ｄ３１２に格納される。その番号にそれぞれ対応づけられるメッセージは、データ領域Ｄ３２０に格納される。たとえば携帯電話１００において映像音声信号を記録するための映像記録部２７０の容量が不足する場合には、データレコードＲ３１０に格納されている「メモリ容量が不足です。」というメッセージデータが読み出され、後述する処理に基づいてＶＲＡＭ２５４の所定の領域に書込まれる。その結果、ディスプレイ１５０は、読み出したデータに基づいて上記のメッセージを表示領域に表示する。
【００７０】
同様にバッテリ１３４の残存容量が所定値以下である場合には、データレコードＲ３２０に格納されている「バッテリが不足です。」というメッセージデータが読み出され、ＶＲＡＭ２５４に書込まれる。携帯電話１００が所定の接続ケーブルに接続されていない場合、あるいは携帯電話１００がチューナ機能を有する場合において電波が届かないエリアにいる場合においても、同様にそれぞれ対応するメッセージが読み出され、ディスプレイ１５０に表示される。このように、予め作成されたメッセージを表示させるためのデータを放置したい状態に対応付けて、報知情報記憶部２５６の所定の領域に格納しておくことにより、必要な報知メッセージをディスプレイ１５０に表示させることができる。なお、メッセージデータの格納の態様は、図３に示すものに限られない。少なくとも、携帯電話１００の状態とその状態を表わすメッセージとが関連付けられ、その状態に応じて読み出し可能であればよい。
【００７１】
図４を参照して、本実施の形態に係る携帯電話１００におけるデータ構造についてさらに説明する。図４は、携帯電話１００のプログラム記憶部２６０における各動作プログラムの格納の一態様を概念的に表わす図である。これらのプログラムは、携帯電話１００の組立て前に予めプログラム記憶部２６０に格納されてもよいし、携帯電話１００が製品として完成した後、そのプログラムを新たにインストールしてもよい。
【００７２】
図４に示すように、携帯電話１００の基本的な動作を実行するための制御プログラムは、領域Ｄ４１０に格納される。通信制御部２３２を実現するための通信制御プログラムは、領域Ｄ４２０に格納される。駆動部２４６における映像音声信号の記録処理を実行するための映像録画制御ドライバは、領域Ｄ４３０に格納される。映像音声信号の記録に関する予約情報に基づいて所定の録画容量を算出するためのプログラムは、領域Ｄ４４０に格納される。バッテリ１３４の残存容量を算出するためのプログラムは、領域Ｄ４５０に格納される。スピーカ１５２、ディスプレイ１５０、バイブレータ１５４、およびＬＥＤ１５６による報知動作を制御するためのプログラムは、領域Ｄ４６０に格納される。
【００７３】
これらの各プログラムは、後述するように、制御部２３０が所定の処理を実行する場合にそれぞれその処理に対応する領域から読み出され、ＲＡＭ２５２に一時的に格納される。制御部２３０は、ＲＡＭ２５２に格納されている各プログラムに基づいて携帯電話１００の機能を実現するための所定の処理を実行する。
【００７４】
図５を参照して、本実施の形態に係る携帯電話１００の制御構造について説明する。図５は、携帯電話１００の制御部２３０が実行する処理の手順を表わすフローチャートである。なお、前述のように携帯電話１００における各動作は、制御部２３０に含まれる各処理部の動作によって具体的に実現される。これらの処理は、プログラム記憶部２６０に格納されているプログラムが制御２３０によって読み出されて実行されることにより実現される。したがって、以下の説明では携帯電話１００の動作の主体を制御部２３０として説明する。
【００７５】
ステップＳ５０２にて、制御部２３０は、予約情報の入力を受付ける。この予約情報は、たとえば映像音声信号の記録の開始時刻と終了時刻と記録モード（ビットレート、画質情報等）を含む。また、携帯電話１００がテレビジョン受信機能を有する場合には、予約情報には、受信チャネルを特定する情報が含まれる。
【００７６】
ステップＳ５０４にて、制御部２３０は、その予約情報を予約情報記録部２５８の所定のデータ領域に記憶する。ステップＳ５０６にて、制御部２３０は、予約情報に基づいて必要なメモリ容量を算出する。すなわち制御部は、予約情報に含まれる開始時刻と終了時刻とビットレートその他の情報に基づいて映像音声信号の記録に必要な容量を算出する。
【００７７】
ステップＳ５０８にて、制御部２３０は、映像記録部２７０のメモリ容量が十分であるか否かを判断する。そのメモリ容量が十分である場合には（ステップＳ５０８にてＹＥＳ）、処理はステップＳ５１２に移される。そうでない場合には（ステップＳ５０８にてＮＯ）、処理はステップＳ５１０に移される。
【００７８】
ステップＳ５１０にて、制御部２３０は、報知情報記憶部２５６のデータレコードＲ３１０に格納されているデータを読み出して、メモリ不足の通知メッセージをＶＲＡＭ２５４の所定の領域に出力する。ディスプレイ１５０は、携帯電話１００のメモリが不足していることを表わすメッセージを表示する。
【００７９】
ステップＳ５１２にて、制御部２３０は、計時部１３２から入力される現在時刻を表わす信号と予約情報記録部２５８に格納されている開始時刻とに基づいて、開始時刻までの時間を計測する。ステップＳ５１４にて、制御部２３０は、現在時刻が録画開始時刻の所定時間前であるか否かを判断する。現在時刻がその所定時間前であると判断すると（ステップＳ５１４にてＹＥＳ）、処理はステップＳ５１８に移される。そうでない場合には（ステップＳ５１４にてＮＯ）、処理はステップＳ５１２に戻され、録画開始時刻までの時間が再び計測される。
【００８０】
ステップＳ５１８にて、制御部２３０は、映像記録部２７０におけるメモリの空き容量を算出する。ステップＳ５２０にて、制御部２３０は、その空き容量が十分であるか否かを判断する。メモリ容量が十分にある場合には（ステップＳ５２０にてＹＥＳ）、処理はステップＳ５２４に移される。そうでない場合には（ステップＳ５２０にてＮＯ）、処理はステップＳ５２２に移される。
【００８１】
ステップＳ５２２にて、制御部２３０は、映像記録部２７０においてメモリが不足していることを通知するメッセージを出力する。すなわち、制御部２３０は、報知情報記憶部２５６のデータレコードＲ３１０からメッセージを表示するためのデータを読み出して、ＶＲＡＭ２５４の所定の領域に書き込む。その結果、ディスプレイ１５０は「メモリ容量が不足です。」というメッセージを表示する。
【００８２】
ステップＳ５２４にて、制御部２３０は、バッテリ１３４の残存容量を算出する。ステップＳ５２６にて、制御部２３０は、その残存容量が予約情報に基づく映像音声信号の記録をするために十分であるか否かを判断する。バッテリ１３４の残存容量が十分である場合には（ステップＳ５２６にてＹＥＳ）、処理はステップＳ５３０に移される。そうでない場合には（ステップＳ５２６にてＮＯ）、処理はステップＳ５２８に移される。
【００８３】
ステップＳ５２８にて、制御部２３０は、バッテリ１３４の容量が不足していることを通知するメッセージを出力する。すなわち、制御部２３０は、報知情報記憶部２５６のデータレコードＲ３２０から「バッテリが不足です。」というメッセージデータを読み出して、ＶＲＡＭ２５４の所定の領域に書き込む。その結果ディスプレイ１５０は、そのメッセージを表示する。
【００８４】
ステップＳ５３０にて、制御部２３０は、ケーブル１９２と携帯電話１００との接続状態を検出する。この接続状態には、ケーブル１９２が映像音声信号取得部１４０に接続されている状態および接続されていない状態が含まれる。この検出は、たとえば携帯電話１００のケーブル差込口（図示しない）からの電流値に基づいて行なわれる。
【００８５】
ステップＳ５３２にて、制御部２３０は、ケーブル１９２が携帯電話１００に接続されているか否かを判断する。ケーブル１９２が携帯電話１００に接続されている場合には（ステップＳ５３２にてＹＥＳ）、処理はステップＳ５３６に移される。そうでない場合には（ステップＳ５３２にてＮＯ）、処理はステップＳ５３４に移される。
【００８６】
ステップＳ５３４にて、制御部２３０は、ケーブルが接続されていないことを通知するメッセージを出力する。すなわち、制御部２３０は、報知情報記憶部２５６のデータレコードＲ３３０からデータを読み出して、ＶＲＡＭ２５４の所定の領域に書き込む。その結果、ディスプレイ１５０は、「ケーブルが接続されていません。」というメッセージを表示する。ステップＳ５３６にて、制御部２３０は、予め定められた映像音声信号の記録処理を実行する。この処理が実行されると、携帯電話１００に入力される映像音声信号は、映像記録部２７０の所定のデータ領域に格納される。
【００８７】
以上のような構造およびフローチャートに基づく、本実施の形態に係る携帯電話１００の動作について説明する。以下の説明では、予約情報の入力時には映像記録部２７０の容量が十分あった場合において、その後メールの受信その他の操作により格納したデータ量が増加したため映像記録部２７０の容量が不足した場合について説明する。
【００８８】
ユーザが、携帯電話１００をインターネットに接続し、電子番組表を提供するサーバから、ＥＰＧ（Electronic Program Guide）情報を受信すると、そのＥＰＧ情報は予約情報記録部２５８に格納される（ステップＳ５０４）。携帯電話１００は、そのＥＰＧ情報とユーザが予め設定したビットレートその他の画質に関する情報とに基づいて映像音声信号を記憶するために必要な容量を算出する（ステップＳ５０６）。ＥＰＧ情報が取得された時点では、映像記録部２７０の容量が十分であるため（ステップＳ５０８にてＹＥＳ）、予約操作が完了する。この場合、ディスプレイ１５０は、予約情報に基づく映像音声信号の記録に関し、その記録ができないことを通知するメッセージを表示しない。
【００８９】
その後、現在時刻が、ＥＰＧに含まれる開始時刻から所定時間前になると（ステップＳ５１４にてＹＥＳ）、携帯電話１００は、映像記録部２７０における容量を算出する（ステップＳ５１８）。ユーザがＥＰＧ情報に基づいて番組の録画を予約した後に携帯電話１００が有するカメラ（図示しない）により撮影した画像あるいは受信した電子メールなどにより映像記録部２７０のデータ領域が減少している場合には（ステップＳ５２０にてＮＯ）、ディスプレイ１５０は、報知情報記憶部２５６のデータレコードＲ３１０に格納されているメッセージデータに基づいて、映像記録部２７０の容量が不足していることを表わすメッセージを表示する。
【００９０】
そのようなメッセージが表示された場合、ユーザは、不要な画像ファイルあるいはメールを削除することにより、ＥＰＧ情報に基づく番組の記録に必要なデータ領域を確保することができる。さらにバッテリ１３４の残存容量が十分あり（ステップＳ５２６にてＹＥＳ）、ケーブル１９２が携帯電話１００に接続されている場合には（ステップＳ５３２にてＹＥＳ）、携帯電話１００は、録画終了時刻になるとＥＰＧ情報に基づいて設定された映像音声信号を取得し映像記録部２７０の所定の領域に格納する。
【００９１】
以上のようにして、本実施の形態に係る携帯電話１００によると、入力された予約情報に基づく映像音声信号の記録が可能であるか否かの判断が２回実行される。すなわち、その判断は、予約情報の入力時と、録画開始時刻の所定時間前とにおいて行なわれる。したがって、予約情報の入力の後に携帯電話１００が使用されることにより映像記録部２７０のメモリ容量あるいはバッテリ１３４の消耗などがあった場合に、ユーザは録画開始時刻前にそれらを知ることができる。その結果、ユーザは、不要なファイルの削除等により、メモリ容量の確保あるいは携帯電話１００の電源の確保をすることができる。
【００９２】
このようにすると、予約情報の入力後における携帯電話１００の使用状況に応じて当初設定した予約が行なわれなくなることを防止することができる。これにより、予約情報に基づく映像音声信号を記録する前に、携帯通信端末がその記録を完了することができない状態である場合に、他の記録装置にその予約情報に基づいて映像音声信号を記録させることができる携帯通信端末を提供することができる。
【００９３】
なお、本実施の形態に係る携帯電話１００は、テレビ１９０の映像音声出力端子（図示しない）に接続される態様であったが、ビデオレコーダその他の映像再生装置に接続されてもよい。携帯電話１００は、映像再生装置に記録されている映像音声信号を取り込むこともできる。
【００９４】
＜第１の実施の形態  変形例＞
以下、本実施の形態の変形例について説明する。携帯電話がチューナその他の選局手段を有する場合に、その携帯電話の所在地が映像音声信号の受信可能な範囲にあるか否かに応じて、携帯電話のユーザに映像を記録するために移動するような処置を促すことができる。
【００９５】
図６を参照して、本変形例に係る携帯電話６００の構成について説明する。携帯電話６００は、図２に示した携帯電話１００の構成に加えて、ＧＰＳ（Global Positioning System）信号受信部６１０と、位置情報算出部６２０とを含む。携帯電話６００はさらに、映像音声信号取得部１４０の一態様であるチューナ６４０を含む。その他の構成は、図２に示した各構成と同じである。それらの作用も同じである。したがって、ここではそれらについての説明は繰り返さない。
【００９６】
ＧＰＳ信号受信部６１０が受信した位置情報は、位置情報算出部６２０に入力される。位置情報算出部６２０は、その入力信号に基づいて携帯電話６００の現在位置を算出する。この現在位置を表わす情報は、録画可否判断部２３８に入力される。録画可否判断部２３８は、携帯電話６００の現在位置と、報知情報記憶部２５６に格納されている携帯電話６００の受信可能エリアを表わす情報とに基づいて、チューナ６４０により受信される信号に含まれる映像音声信号の記録が可能であるか否かを判断する。その判断結果は、報知制御部２４２に入力される。報知制御部２４２は、その結果に応じて予め定められた報知処理を実行する。
【００９７】
アンテナ２００により受信された信号は、チューナ６４０に入力される。チューナ６４０は、その入力信号から予め設定されたチャネルの信号を取得し駆動部２４６に出力する。駆動部２４６は、受信信号の記録指示が出力されている場合には、映像記録部２７０の所定のデータ領域に映像音声信号を記録する。
【００９８】
図７を参照して、本変形例に係る携帯電話６００の制御構造について説明する。図７は、携帯電話６００の制御部２３０が実行する処理の手順を表わすフローチャートである。
【００９９】
ステップＳ７００にて、制御部２３０は、端末状態確認処理を実行する。ここで端末状態確認処理とは、図５において示したステップＳ５０２からＳ５３４までの各処理をいう。ステップＳ７０４にて、制御部２３０は、ＧＰＳ信号受信部６１０を介してＧＰＳ信号を受信する。ステップＳ７０６にて、制御部２３０は、その信号に基づいて携帯電話６００の現在位置を表わす情報を算出する。
【０１００】
ステップＳ７０８にて、制御部２３０は、携帯電話６００がテレビ信号の受信可能なエリアにあるか否かを判断する。携帯電話６００がそのエリアにあると判断すると（ステップＳ７０８にてＹＥＳ）、処理はステップＳ７１２に移される。そうでない場合には（ステップＳ７０８にてＮＯ）、処理はステップＳ７１０に移される。
【０１０１】
ステップＳ７１０にて、制御部２３０は、報知情報記憶部２５６のデータレコードＲ３４０に格納されているデータを読み出して、ＶＲＡＭ２５４の所定の領域に書き込む。ディスプレイ１５０は、そのデータに基づいて「電波が届かないエリアにいます。」というメッセージを表示する。
【０１０２】
以上のような構造およびフローチャートに基づく、本変形例に係る携帯電話６００の動作について説明する。なお、前述の動作と同じ動作の説明はここでは繰返さない。
【０１０３】
ユーザが予め定められた処理を実行して予約情報を入力すると、録画開始時刻の所定時間前に端末状態確認処理（ステップＳ７００）が実行される。携帯電話６００は、ＧＰＳ信号を受信すると（ステップＳ７０４）、携帯電話６００自身の現在位置を算出する（ステップＳ７０６）。ユーザが予約情報を入力した後に移動し、携帯電話６００がテレビ信号の受信可能なエリアの外側にいる場合には（ステップＳ７０８にてＮＯ）、ディスプレイ１５０は、「電波が届かないエリアにいます。」を表示する。これにより、ユーザは、予約情報に基づいてテレビ番組を携帯電話６００に録画するためには、電波が届くエリアに移動する必要があることを知ることができる。したがって、たとえば録画の開始時刻までにそのエリアに戻ることができる場合には、携帯電話６００は、指定された時刻から映像音声信号を記録することができる。
【０１０４】
＜第２の実施の形態＞
以下、本発明の第２の実施の形態について説明する。本実施の形態に係る携帯電話は、映像音声信号の記録の開始後、携帯電話における記憶容量が不十分となった場合に、映像音声信号を記録することができる他の装置に、映像音声信号を記録させるための機能を有する点で前述の第１の実施の形態と異なる。
【０１０５】
図８を参照して、本実施の形態に係る携帯電話８００の使用の態様について説明する。図８は、携帯電話８００がテレビ１９０に接続され、さらにビデオレコーダ８６０にリモコン信号により予約情報を送信することを表わす図である。
【０１０６】
図８に示すように、携帯電話８００は、赤外線発光部８１０をさらに含む。携帯電話８００は、この赤外線発光部８１０を介して予め受信可能に設定されたビデオレコーダ８６０にリモコン信号を送信することができる。ビデオレコーダ８６０は、赤外線受光部８７０を含む。ビデオレコーダ８６０は、携帯電話８００から送信された信号を受信すると、その信号に含まれる情報に基づいて作動する。すなわち、ビデオレコーダ８６０は、レコーダ自身が有するＨＤＤその他のデータ記録媒体に、所定の映像音声信号を記録する。
【０１０７】
図９を参照して、本実施の形態に係る携帯電話８００の構成について説明する。図９は、携帯電話８００の機能的構成を表わすブロック図である。携帯電話８００は、図２に示した携帯電話１００の構成に加えて、赤外線発光部８１０を含む。通信制御部２３２は、所定の条件が成立した場合には予約情報を含む信号を赤外線発光部８１０に出力する。赤外線発光部８１０は、その入力信号に基づいて、予め定められた照射方向に対し、赤外線信号を出力する。
【０１０８】
図１０を参照して、本実施の形態に係る携帯電話８００の制御構造について説明する。図１０は、携帯電話８００の制御部２３０が実行する処理の手順を表わすフローチャートである。図１０に示す処理は、たとえば予約情報により指定された録画開始時刻の経過後、携帯電話８００が映像音声信号の記録を開始した後に、予め定められた時間ごとに実行される。
【０１０９】
ステップＳ１００２にて、制御部２３０は、計時部１３２のタイマ情報をリセットする。ステップＳ１００４にて、制御部２３０は、予約情報に基づく番組の録画が開始されてから所定時間経過したか否かを判断する。所定時間が経過している場合には（ステップＳ１００４にてＹＥＳ）、処理はステップＳ１００６に移される。そうでない場合には（ステップＳ１００４にてＮＯ）、処理はステップＳ１００４に再び戻される。
【０１１０】
ステップＳ１００６にて、制御部２３０は、映像記録部２７０の空き容量を算出する。ステップＳ１００８にて、制御部２３０は、映像記録部２７０の空き容量が予約情報に基づく番組の録画に十分であるか否かを判断する。映像記録部２７０の空き容量が十分残っている場合には（ステップＳ１００８にてＹＥＳ）、処理は終了し、携帯電話８００における映像音声信号の記録処理がそのまま継続する。そうでない場合には（ステップＳ１００８にてＮＯ）、処理はステップＳ１０１０に移される。
【０１１１】
ステップＳ１０１０にて、制御部２３０は、赤外線発光部８１０を介して、ビデオレコーダ８６０に予約情報に基づく映像音声信号を記録させるための信号を送信する。すなわち、制御部２３０は、予約情報記録部２５８に格納されているデータと、録画開始後に映像記録部２７０の空き容量を検出した時刻とに基づいて、ビデオレコーダ８６０が映像音声信号の記録を開始すべき時刻を算出する。制御部２３０はさらに、予約情報記録部２５８に格納されている録画終了時刻とチャネル情報とデータレートその他の情報とに基づいてビデオレコーダ８６０における予約情報を生成する。制御部２３０は、このように生成した予約情報を、通信制御部２３２を介して赤外線発光部８１０に出力する。
【０１１２】
以上のような構造およびフローチャートに基づく、本実施の形態に係る携帯電話８００の動作について説明する。以下の動作は、上記したように、携帯電話８００が指定された時刻から映像音声信号を記録している場合に実行される。
【０１１３】
ユーザが予約した情報に基づいて携帯電話８００は映像の記録を開始する。その後録画が開始されてから所定時間経過すると（ステップＳ１００４にてＹＥＳ）、映像記録部２７０の空き容量が再び算出される（ステップＳ１００６）。録画中にユーザがその他の処理（たとえばメールの受信）などにより映像記録部２７０のデータ領域を使用して、予約情報に基づく映像の記録に必要な領域が十分でなくなると（ステップＳ１００８にてＮＯ）、ビデオレコーダ８６０に録画を継続させるための予約情報が生成される。生成された予約情報はリモコン信号に含められ、その信号は、赤外線発光部８１０を介してビデオレコーダ８６０に向けて発信される。
【０１１４】
ビデオレコーダ８６０の赤外線受光部８７０が携帯電話８００からのリモコン信号を受信すると、ビデオレコーダ８６０は、その信号に含まれる予約情報に基づいて内蔵するデータ記録媒体（図示しない）による予約処理を実行する。すなわち、ビデオレコーダ８６０の予約機能が実行され、予約情報に含まれる録画開始時刻、録画終了時刻、受信チャネル、録画モード等がメモリ（図示しない）に格納される。ビデオレコーダ８６０は、録画開始時刻から、映像音声信号の記録を開始することができる。このようにすると、携帯電話８００のデータ記録媒体の容量が不足している場合にも、他のデータ記録媒体に当初設定された映像を記録させることができる。
【０１１５】
以上のようにして、本実施の形態に係る携帯電話８００によると、予約録画の実行中に映像記録部２７０の空き容量が再び計算されるため、映像の記録に必要な領域がない場合でも、予め設定されたその他の記録装置に継続して番組を録画させることができる。
【０１１６】
なお、本実施の形態においては、ビデオレコーダ８６０に送信される予約情報は、携帯電話８００が当初取得した予約情報とは異なり、記録を途中から継続させるための情報（すなわち録画開始時刻が異なる情報）である。しかし、上記のような態様に代えて、予め携帯電話８００が予約情報を取得したときにその情報をビデオレコーダ８６０に送信するようにしてもよい。このようにすると、ビデオレコーダ８６０は当初の録画開始時刻から設定された映像を記録することができるため、ユーザは最初から最後まで記録された映像を視聴することができる。
【０１１７】
さらに、本実施の形態に係る携帯電話８００は、外部のデータ記録装置に送信する手段として赤外線発光部８１０を有する。このような構成に代えて、携帯電話８００は通信回線を介して予約に必要な情報を電子メールの形式で予め設定されたネットワーク接続された記録装置に送信するようにしてもよい。たとえば、携帯電話８００の報知情報記憶部２５６の所定のデータ領域に、そのような記録装置のアドレス情報を予め記憶しておき、予約情報をそのアドレスに基づいて記録装置に送信するようにしてもよい。このようにすると、携帯電話８００が赤外線信号を受信できる記録装置（たとえばビデオレコーダ８６０）の付近に配置されていない場合であっても、映像音声信号の記録を確実に指示することができる。
【０１１８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１１９】
本発明は、映像音声信号の記録機能を有する携帯通信端末に適用可能である。
【図面の簡単な説明】
【０１２０】
【図１】本発明の第１の実施の形態に係る携帯電話を説明するための図である。
【図２】本発明の第１の実施の形態に係る携帯電話の機能ブロック図である。
【図３】図１に示した携帯電話におけるデータ構造を説明するための図（その１）である。
【図４】図１に示した携帯電話におけるデータ構造を説明するための図（その２）である。
【図５】本発明の第１の実施の形態に係る携帯電話が実行する処理の手順を表わすフローチャートである。
【図６】本発明の第１の実施の形態の変形例に係る携帯電話の機能ブロック図である。
【図７】本発明の第１の実施の形態の変形例に係る携帯電話が実行する処理の手順を表わすフローチャートである。
【図８】本発明の第２の実施の形態に係る携帯電話を説明するための図である。
【図９】本発明の第２の実施の形態に係る携帯電話の機能ブロック図である。
【図１０】本発明の第２の実施の形態に係る携帯電話が実行する処理の手順を表わすフローチャートである。
【符号の説明】
【０１２１】
１００，６００，８００  携帯電話、１２０  筐体、１３０  操作部、１３２  計時部、１３４  バッテリ、１４０  映像信号取得部、１５０  ディスプレイ、１５２  スピーカ、１５４  バイブレータ、１５６  ＬＥＤ、１９０  テレビ、１９２  ケーブル、２３０  制御部、２３２  通信制御部、２３４  予約情報取得部、２３６  録画容量算出部、２３８  録画可否判断部、２４０  所定時間前検知部、２４２  報知制御部、２４４  残存容量算出部、２４６  駆動部、２５２  ＲＡＭ、２５４  ＶＲＡＭ、２５６  報知情報記憶部、２５８  予約情報記録部、２６０  プログラム記憶部、２７０  映像記録部、６４０  チューナ、８１０  赤外線発光部、８６０  ビデオレコーダ、８７０  赤外線受光部。
【図１】
0004689174.tif 000002
【図２】
0004689174.tif 000003
【図３】
0004689174.tif 000004
【図４】
0004689174.tif 000005
【図５】
0004689174.tif 000006
【図６】
0004689174.tif 000007
【図７】
0004689174.tif 000008
【図８】
0004689174.tif 000009
【図９】
0004689174.tif 000010
【図１０】
0004689174.tif 000011